【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
第１本体部、前記第１本体部の一端部から延長され第１位置規制突起が形成された第１結合部を有する第２本体部、及び前記第１本体部の他端部から前記第２本体部と平行に延長され第１位置規制ホールが形成された第２結合部を有する第３本体部を含む第１シャーシ部材と、
前記第１本体部と向かい合う第４本体部、前記第４本体部の一端部から延長され前記第１位置規制ホールと結合される第２位置規制突起が形成された第３結合部を有する第５本体部、及び前記第４本体部の他端部から前記第５本体部と平行に延長され前記第１位置規制突起と結合される第２位置規制ホールが形成された第４結合部を有する第６本体部を含む第２シャーシ部材と、を含むことを特徴とするシャーシフレーム。
【請求項２】
前記第１及び第２位置規制突起は、互いに同じ形状を有する第１突起、第２突起、及び第３突起をそれぞれ含むことを特徴とする請求項１記載のシャーシフレーム。
【請求項３】
前記第１及び第２位置規制ホールは、前記第１突起、第２突起、及び第３突起が各々挿入される第１ホール、第２ホール、及び第３ホールをそれぞれ含むことを特徴とする請求項２記載のシャーシフレーム。
【請求項４】
前記第１突起、第２突起及び第３突起は、当該第１突起、第２突起及び第３突起が形成される面と平行に切った断面が円形状であることを特徴とする請求項３記載のシャーシフレーム。
【請求項５】
前記第１ホールは、前記第１突起と同じ円形状を有することを特徴とする請求項４記載のシャーシフレーム。
【請求項６】
前記第２ホールは、前記第１シャーシ部材の長手方向と垂直な第１方向を長軸とする楕円形状であり、
前記第３ホールは、前記第１方向に垂直な第２方向を長軸とする楕円形状であることを特徴とする請求項５記載のシャーシフレーム。
【請求項７】
前記それぞれの第１及び第３結合部は、前記それぞれの第２及び第４結合部とのねじ締結のための一つ以上のねじ孔を更に含むことを特徴とする請求項１記載のシャーシフレーム。
【請求項８】
前記それぞれの第２及び第４結合部は、前記それぞれの第１及び第３結合部とのねじ締結のために前記ねじ孔と対応して形成される一つ以上の貫通孔を更に含むことを特徴とする請求項７記載のシャーシフレーム。
【請求項９】
前記第１結合部と前記第２結合部は、電気溶接によって結合され、前記第３結合部と前記第４結合部は、電気溶接によって結合されることを特徴とする請求項１記載のシャーシフレーム。
【請求項１０】
前記第１シャーシ部材は、前記一端部に形成され、全体の厚さから第１厚さが除去された第１凹陥部を更に含み、
前記第２シャーシ部材は、前記第１シャーシ部材と連結される一端部から延びて前記第１凹陥部と結合され、前記第１厚さを有する第１突出部を更に含むことを特徴とする請求項１記載のシャーシフレーム。
【請求項１１】
一端部に形成され、第１位置規制突起を有する第１結合部及び他端部に形成され、第２位置規制突起を有する第２結合部を具備する第１シャーシ部材と、
前記第１シャーシ部材と平行に配置され、一端部に形成されて第３位置規制突起を有する第３結合部及び他端部に形成され、第４位置規制突起を有する第４結合部を具備する第２シャーシ部材と、
前記第１位置規制突起が挿入される第１位置規制ホールを有する第５結合部及び前記第３位置規制突起が挿入される第２位置規制ホールを有する第６結合部を具備する第３シャーシ部材と、
前記第２位置規制突起が挿入される第３位置規制ホールを有する第７結合部及び前記第４位置規制突起が挿入される第４位置規制ホールを有する第８結合部を具備する第４シャーシ部材と、を含み、
前記第３シャーシ部材は、前記第１シャーシ部材と垂直な第１本体部、前記第１本体部の一端部から垂直に延長され前記第５結合部が形成される第２本体部、及び前記第１本体部の他端部から前記第２本体部と平行に延長され前記第６結合部が形成される第３本体部を含み、
前記第４シャーシ部材は、前記第１本体部と向かい合う第４本体部、前記第４本体部の一端部から垂直に延長され前記第７結合部が形成される第５本体部、及び前記第４本体部の他端部から前記第５本体部と平行に延長され前記第８結合部が形成される第６本体部を含むことを特徴とするシャーシフレーム。
【請求項１２】
前記第１位置規制ホール、第２位置規制ホール、第３位置規制ホール及び第４位置規制ホールは、前記第１シャーシ部材の長手方向を長軸とする楕円形状の第１ホールを各々更に含むことを特徴とする請求項１１記載のシャーシフレーム。
【請求項１３】
前記第１位置規制ホール、第２位置規制ホール、第３位置規制ホール及び第４位置規制ホールは、前記第１シャーシ部材の長手方向に垂直な方向に長軸を有する楕円形状の第２ホールを更に含むことを特徴とする請求項１２記載のシャーシフレーム。
【請求項１４】
前記第１結合部、第２結合部、第３結合部及び第４結合部は、ねじ締結のための一つ以上の貫通孔を更に含むことを特徴とする請求項１１記載のシャーシフレーム。
【請求項１５】
前記第５結合部、第６結合部、第７結合部及び第８結合部は、ねじ締結のために前記貫通孔と対応して形成される一つ以上のねじ孔を更に含むことを特徴とする請求項１４記載のシャーシフレーム。
【請求項１６】
光を供給するバックライトアセンブリーと、
前記バックライトアセンブリーから提供された光を用いて画像を表示する液晶表示パネルと、
第１及び第２シャーシ部材で構成され、前記第１及び第２シャーシ部材の相互結合によってフレーム形状に形成され、前記液晶表示パネルを前記バックライトアセンブリーに固定するシャーシフレームを含み、
前記第１シャーシ部材は、第１本体部、前記第１本体部の一端部から延長され第１位置規制突起が形成された第１結合部を有する第２本体部、及び前記第１本体部の他端部から前記第２本体部と平行に延長され第１位置規制ホールが形成された第２結合部を有する第３本体部を含み、
前記第２シャーシ部材は、前記第１本体部と向かい合う第４本体部、前記第４本体部の一端部から延長され前記第１位置規制ホールと結合される第２位置規制突起が形成された第３結合部を有する第５本体部、及び前記第４本体部の他端部から前記第５本体部と平行に延長され前記第１位置規制突起と結合される第２位置規制ホールが形成された第４結合部を有する第６本体部を含むことを特徴とする液晶表示装置。
【請求項１７】
それぞれの前記第１及び第２位置規制ホールは、前記第１シャーシ部材の長手方向と垂直な第１方向を長軸とする楕円形状の第２ホールを含むことを特徴とする請求項１６記載の液晶表示装置。
【請求項１８】
それぞれの前記第１及び第２位置規制ホールは、前記第１方向と垂直な第２方向を長軸とする楕円形状の第３ホールを更に含むことを特徴とする請求項１７記載の液晶表示装置。
【請求項１９】
それぞれの前記第１及び第３結合部は締結孔を含み、それぞれの前記第２及び第４結合部は前記締結孔に対応する貫通孔を含み、前記第１及び第３結合部は前記第２及び第４結合部とそれぞれねじ結合することを特徴とする請求項１６記載の液晶表示装置。
【請求項２０】
前記バックライトアセンブリーは、
光を発生するランプと、
前記ランプから発生した光の経路を変更して前記液晶表示パネルの方向に出射する光学部材と、
前記ランプ及び光学部材を収納する収納容器と、を含むことを特徴とする請求項１６記載の液晶表示装置。
【手続補正２】
【補正対象書類名】明細書
【補正対象項目名】００１１
【補正方法】変更
【補正の内容】
【００１１】
第１シャーシ部材は、第１本体部、前記第１本体部の一端部から延長され第１位置規制突起が形成された第１結合部を有する第２本体部、及び前記第１本体部の他端部から前記第２本体部と平行に延長され第１位置規制ホールが形成された第２結合部を有する第３本体部を含む。
第２シャーシ部材は、前記第１本体部と向かい合う第４本体部、前記第４本体部の一端部から延長され前記第１位置規制ホールと結合される第２位置規制突起が形成された第３結合部を有する第５本体部、及び前記第４本体部の他端部から前記第５本体部と平行に延長され前記第１位置規制突起と結合される第２位置規制ホールが形成された第４結合部を有する第６本体部を含む。
【手続補正３】
【補正対象書類名】明細書
【補正対象項目名】００１５
【補正方法】変更
【補正の内容】
【００１５】
前記第３シャーシ部材は、前記第１位置規制突起が挿入される第１位置規制ホールを有する第５結合部及び前記第３位置規制突起が挿入される第２位置規制ホールを有する第６結合部を具備する。前記第３シャーシ部材は、前記第１シャーシ部材と垂直な第１本体部、前記第１本体部の一端部から垂直に延長され前記第５結合部が形成される第２本体部、及び前記第１本体部の他端部から前記第２本体部と平行に延長され前記第６結合部が形成される第３本体部を含む。
【手続補正４】
【補正対象書類名】明細書
【補正対象項目名】００１６
【補正方法】変更
【補正の内容】
【００１６】
前記第４シャーシ部材は、前記第２位置規制突起が挿入される第３位置規制ホールを有する第７結合部及び前記第４位置規制突起が挿入される第４位置規制ホールを有する第８結合部を具備する。前記第４シャーシ部材は、前記第１本体部と向かい合う第４本体部、前記第４本体部の一端部から垂直に延長され前記第７結合部が形成される第５本体部、及び前記第４本体部の他端部から前記第５本体部と平行に延長され前記第８結合部が形成される第６本体部を含む。
【手続補正５】
【補正対象書類名】明細書
【補正対象項目名】００１８
【補正方法】変更
【補正の内容】
【００１８】
前記シャーシフレームは、第１及び第２シャーシ部材で構成され、前記第１及び第２シャーシ部材の相互結合によってフレーム形状に形成され、前記液晶表示パネルを前記バックライトアセンブリーに固定する。ここで、前記第１シャーシ部材は、第１本体部、前記第１本体部の一端部から延長され第１位置規制突起が形成された第１結合部を有する第２本体部、及び前記第１本体部の他端部から前記第２本体部と平行に延長され第１位置規制ホールが形成された第２結合部を有する第３本体部を含む。前記第２シャーシ部材は、前記第１本体部と向かい合う第４本体部、前記第４本体部の一端部から延長され前記第１位置規制ホールと結合される第２位置規制突起が形成された第３結合部を有する第５本体部、及び前記第４本体部の他端部から前記第５本体部と平行に延長され前記第１位置規制突起と結合される第２位置規制ホールが形成された第４結合部を有する第６本体部を含む。